(57)【要約】【課題】  発光装置から発光された光を減光させずに外部から視認可能にする。【解決手段】  ガラス枠５に、装飾部５ｂを一体化して形成する。装飾部５ｂに透光窓５ｃを形成する。装飾部５ｂに導光ユニット２２を取り付ける。導光ユニット２２を、導光率の高いシリコン製の導光チューブ２３、導光ケース２４から構成する。導光チューブ２３を、導光ケース２４の内部にその形状に沿って挿入する。遊技盤４に、キーロックケース６１を取り付ける。本体枠３の支持枠取付部３ａに、キーシリンダー６２を取り付ける。セキュリティーキー５０を、キーロックケース６１、キーシリンダー６２に挿通する。キーシリンダー６２に、セキュリティー基板７５を取り付ける。セキュリティー基板７５に、ＬＥＤ７６を設ける。ＬＥＤ７６から発光され、セキュリティーキー５０を通過する光は、導光チューブ２３、導光ケース２４を介してガラス枠５から出射される。【選択図】        図８
2005130910.tif 000002
【特許請求の範囲】
【請求項１】
前面に遊技領域を備える遊技盤と、前記遊技盤の前面を覆い、前記遊技領域を前面側から視認可能にする開口を有するとともに、この開口の周囲を取り囲むように装飾部が設けられた前面扉とを備えた弾球遊技機において、
前記装飾部より後面側に設けられ、遊技状態に応じて点灯制御される発光装置と、
前記装飾部に設けられ、前記発光装置から発光された光を通過させて前記装飾部の前面側から視認可能にし、前記発光装置から発光された光の光軸に対して上下方向と左右方向との少なくともいずれか一方向で異なる位置に中心軸が設けられる透光窓と、
変形可能であり、光が入射される入射部及び光を出射する出射部を有し、前記入射部に入射された光を変形された形状に沿って前記出射部に導く導光部材と、
前記装飾部に取り付けられ、前記導光部材の少なくとも一部を保持し、前記入射部を前記発光装置から発光された光が入射される位置に、前記出射部を前記導光部材により導光された光を前記透光窓に向けて出射する位置にそれぞれ位置させる保持部材とを備えたことを特徴とする弾球遊技機。
【請求項２】
前記導光部材は、前記保持部材によって、前記出射部が前記透光窓の近傍に保持されるとともに前記入射部が前記保持部材よりも突出して前記発光装置に向けて保持されることを特徴とする請求項１記載の弾球遊技機。
【請求項３】
前記遊技盤を着脱可能に保持する本体基部と、前記遊技盤と前記本体基部とに貫通する透光可能な貫通部材とを備え、前記貫通部材を前記遊技盤と前記本体基部とに貫通した際に、前記貫通部材に形成された第１係止部と係合する第１係合部を前記本体基部に、前記貫通部材に形成された第２係止部と係合する第２係合部を前記遊技盤に、前記貫通部材を脱不可状態にする固定部を当該貫通部材及び前記本体基部と前記遊技盤との少なくともいずれかにそれぞれ設け、脱不可状態にした前記貫通部材を、前記発光装置と前記入射部との間に位置したことを特徴とする請求項１または２記載の弾球遊技機。
【請求項４】
前記発光装置は、前記遊技盤を前記本体基部から取り外したことに応じて点灯制御されることを特徴とする請求項３記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
パチンコ店などの遊技場に設置して使用されるパチンコ機等の弾球遊技機は、パチンコ球等の遊技媒体に一定の価値が与えられて、ゲームを行って獲得した遊技媒体を種々の景品に交換することができる。弾球遊技機は、遊技盤や遊技盤を装着させる枠状の本体基部に、遊技媒体の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
一般に、本体基部には球発射装置や賞球受け皿が設けられ、この本体枠に遊技盤が組み付けられる。遊技盤には、各種入賞口や入賞球装置、障害釘などが設けられた遊技領域があり、球発射装置で打ち出されたパチンコ球をこの遊技領域で流下させることによってゲームが行われる。遊技盤の遊技領域は、ガラス板や透明な強化プラスチックプレート製の透明板で覆われ、遊技の過程をプレイヤが透視できるようになっている。また、透明板は、本体基部に回動自在に軸支される着脱可能な前面扉により支持されており、本体基部にＬＥＤ等の発光装置を設けるとともに、前面扉にＬＥＤから発光された光を外部から視認可能にする透光窓が形成されたレンズカバーを設け、ＬＥＤから発光された光を透光窓から出射させて、ＬＥＤの点灯制御によって演出効果を出すといったことを行っている。
【発明の開示】
【発明が解決しようとする課題】
【０００４】
しかしながら、前面扉は、着脱可能な部品であるため、デザイン変更や強度対策等により、弾球遊技機の機種によっては、ＬＥＤから発光された光の光軸に対して透光窓の中心軸が上下方向及び左右方向で異なる位置に設けられることがあり、この場合には、ＬＥＤから発光された光が、透光窓に届く前に拡散してしまい、透光窓から出射されたときには、ＬＥＤから発光された直後に比べて光量が小さくなってしまうという問題があった。そのため、通常よりも輝度の高いＬＥＤを使用する必要があり、同サイズのＬＥＤであれば、輝度が高くなるとそれに応じてコストが高くなるため、製造コストが高くなり、さらには、輝度の高いＬＥＤを使用することにより、消費電力が高くなり、電力の消費コストが高くなっていた。また、レンズカバーに、ＬＥＤから発光された光を透光窓へ導く導光部材を取り付けることが考えられるが、前面扉は、本体枠に着脱可能に軸支されて回動自在なため、レンズカバーに取り付けた導光部材とＬＥＤとを位置合わせするのは難しく、前面扉の開閉を行うことにより、導光部材の位置がＬＥＤに対してずれてしまうという問題があった。
【０００５】
本発明は、上記従来技術の問題を解決するためになされたものであり、発光装置から発光された光の光軸に対して、透光窓の中心軸が上下方向及び左右方向で異なる位置に設けられているときにも、発光装置から発光された光を減光させることなく外部から視認可能にする弾球遊技機を提供することを目的とする。
【課題を解決するための手段】
【０００６】
上記目的を達成するために、本発明の弾球遊技機は、前面に遊技領域を備える遊技盤と、前記遊技盤の前面を覆い、前記遊技領域を前面側から視認可能にする開口を有するとともに、この開口の周囲を取り囲むように装飾部が設けられた前面扉とを備えた弾球遊技機において、前記装飾部より後面側に設けられ、遊技状態に応じて点灯制御される発光装置と、前記装飾部に設けられ、前記発光装置から発光された光を通過させて前記装飾部の前面側から視認可能にし、前記発光装置から発光された光の光軸に対して上下方向と左右方向との少なくともいずれか一方向で異なる位置に中心軸が設けられる透光窓と、変形可能であり、光が入射される入射部及び光を出射する出射部を有し、前記入射部に入射された光を変形された形状に沿って前記出射部に導く導光部材と、前記装飾部に取り付けられ、前記導光部材の少なくとも一部を保持し、前記入射部を前記発光装置から発光された光が入射される位置に、前記出射部を前記導光部材により導光された光を前記透光窓に向けて出射する位置にそれぞれ位置させる保持部材とを備えたことを特徴とする。
【０００７】
なお、前記導光部材は、前記保持部材によって、前記出射部が前記透光窓の近傍に保持されるとともに前記入射部が前記保持部材よりも突出して前記発光装置に向けて保持されることが好ましい。また、前記遊技盤を着脱可能に保持する本体基部と、前記遊技盤と前記本体基部とに貫通する透光可能な貫通部材とを備え、前記貫通部材を前記遊技盤と前記本体基部とに貫通した際に、前記貫通部材に形成された第１係止部と係合する第１係合部を前記本体基部に、前記貫通部材に形成された第２係止部と係合する第２係合部を前記遊技盤に、前記貫通部材を脱不可状態にする固定部を当該貫通部材及び前記本体基部と前記遊技盤との少なくともいずれかにそれぞれ設け、脱不可状態にした前記貫通部材を、前記発光装置と前記入射部との間に位置することが好ましい。さらに、前記発光装置は、前記遊技盤を前記本体基部から取り外したことに応じて点灯制御されることが好ましい。
【発明の効果】
【０００８】
以上説明したように、本発明の弾球遊技機によれば、前面に遊技領域を備える遊技盤と、遊技盤の前面を覆い、遊技領域を前面側から視認可能にする開口を有するとともに、この開口の周囲を取り囲むように装飾部が設けられた前面扉と、装飾部より後面側に設けられ、遊技状態に応じて点灯制御される発光装置と、装飾部に設けられ、発光装置から発光された光を通過させて装飾部の前面側から視認可能にし、発光装置から発光された光の光軸に対して上下方向と左右方向との少なくともいずれか一方向で異なる位置に中心軸が設けられる透光窓と、変形可能であり、光が入射される入射部及び光を出射する出射部を有し、入射部に入射された光を変形された形状に沿って出射部に導く導光部材と、装飾部に取り付けられ、導光部材の少なくとも一部を保持し、入射部を発光装置から発光された光が入射される位置に、出射部を導光部材により導光された光を透光窓に向けて出射する位置にそれぞれ位置させる保持部材とを備えたから、透光窓の中心軸が発光装置から発光された光の光軸に対して上下方向と左右方向とで異なる位置に設けられた場合にも、発光装置から発光された光を、導光部材により減光させることなく透光窓に導くことができる。
【０００９】
また、導光部材は、保持部材によって、出射部が透光窓の近傍に保持されるとともに入射部が保持部材よりも突出して発光装置に向けて保持されるから、入射部の保持部材よりも突出した後端部を変形することにより、入射部の位置を微調整することができる。さらに、発光装置と導光部材との間に、不正行為の有無を出射される光が漏れる状態または発光具合により把握する貫通部材を設けたから、不正行為の有無を把握するための光の視認具合の変化の有無を判断し易くなる。
【発明を実施するための最良の形態】
【００１０】
図１に示すように、弾球遊技機の１実施例であるパチンコ機２は、本体枠３の内部に遊技盤４が配設されており、本体枠３の前面にはガラス枠（前面扉）５が開閉自在に取り付けられている。遊技盤４には、図柄可変表示装置７、始動口８、通常入賞口９、通過入賞口１０、アタッカ１１などの所定入賞口及びアウト口１２が設けられている遊技領域４ａが形成されている。また、図示は省略してあるが、遊技盤４にはその他複数の障害釘や風車などが適宜箇所に設けられている。
【００１１】
本体枠３には、パチンコ球発射装置、賞球払い出し装置、電源回路、ランプ、スピーカーなどの異機種でも使用できる共通部品が組み付けられている。
【００１２】
遊技媒体として用いられるパチンコ球を操作ハンドルＨの操作による入力に基づいてパチンコ球発射装置によって一個ずつ遊技盤４の遊技領域に打ち出されると、始動口８、通常入賞口９、通過入賞口１０、アウト口１２のいずれかに入る。始動口８にパチンコ球が入ったときには図柄可変表示装置７が作動され、表示されている図柄の可変表示が所定時間行われて当たり判定や演出処理が行われる。そして、図柄の可変表示が停止されたときに入賞有効位置上に所定の図柄の組み合わせが得られると当たりとなり、遊技者にとって通常よりも有利となる遊技状態へと所定期間内移行される。
【００１３】
当たりが得られるときに生じる有利な遊技状態とは例えば開閉可能な扉部材を備えたアタッカ１１を１回につき所定時間又はパチンコ球が所定個数入賞するまで閉口状態から開口状態にし、これが所定回数繰り返される。始動口８、通常入賞口９又はアタッカ１１にパチンコ球が入賞すると所定個数の景品球となる賞球払い出しが行われる。始動口８、通常入賞口９又はアタッカ１１にパチンコ球が入賞しなかった場合は、未入賞のパチンコ球としてアウト口１２に入ってハズレ球として回収される。前記景品球は払い出し口１３から受皿１４に所定入賞口毎の入賞に応じて払い出される。
【００１４】
図２に示すように、ガラス枠５は、本体枠３の前面に開閉自在に取り付けられている。ガラス枠５の内側には、可視可能なガラス１５が着脱自在で交換可能に取り付けられている。ガラス１５は軸部Ｊを中心に回転自在となっており、ガラス枠５の中央部に形成された開口５ａに対して開閉するように設けられ、ガラス固定部材１９によって固定される。ガラス枠５は、開口５ａの周囲を取り囲むように前面側に装飾部５ｂ（図１参照）が一体化されており、この装飾部５ｂには、後述するＬＥＤ（発光装置）７６から発光され、セキュリティーキー（貫通部材）５０の操作つまみ部５５側から出射される光を導いて外部から視認可能にするための導光ユニット２２が取り付けられている。なお、装飾部５ｂには、図示しない電飾やスピーカーなどの装置が取り付けられている。
【００１５】
図３に示すように、ガラス枠５は、遊技盤４を支持する支持枠１６に開閉自在に取り付けられている。遊技盤ユニット６は支持枠１６の遊技盤ユニット取付部１６ａに交換可能に取り付けられており、支持枠１６は本体枠３の支持枠取付部３ａに交換可能に取り付けられている。本体枠３の右側上下端部には支持枠固定部材１７が設けられている。支持枠１６の遊技盤ユニット取付部１６ａ内の右側上下端部には、遊技盤ユニット固定部材１８が設けられており、さらに、固定部材取付孔１６ｂが上下に形成されている。なお、支持枠固定部材１７と遊技盤ユニット固定部材１８とには、それぞれ回動可能な係止部１７ａ，１８ａが軸支されている。また、遊技盤４の右側上下端部には固定部材挿通孔４ｂ（図６参照）が形成されている。固定部材挿通孔４ｂは遊技盤ユニット固定部材１８を挿通させることのできる位置に設けられている。さらに、後述する遊技領域規制枠２１の枠本体２５に形成される固定部材取付孔２５ｃ（図６参照）は、遊技盤ユニット固定部材１８の係止部１８ａを係止させることができる位置に設けられている。
【００１６】
支持枠固定部材１７及び遊技盤ユニット固定部材１８は同じ構造の部材であるため、本体枠３に支持枠１６を取り付ける場合の支持枠固定部材１７を例に説明する。図４に示すように、固定部材取付孔１６ｂは支持枠固定部材１７が挿通可能な大きさで、支持枠固定部材１７の係止部１７ａと係止可能となるように形成されている。係止部１７ａは支持枠固定部材１７に回転自在に軸支されており、支持枠１６が取り付けられていない状態では図に示すように係止部１７ａが長手方向が垂直に向けられた取り外し位置にセットされている。支持枠１６が本体枠３の支持枠取付部３ａに取り付けられると、支持枠固定部材１７が固定部材取付孔１６ｂに挿通され、係止部１７ａが回転自在となるように固定部材取付孔１６ｂから突出する。
【００１７】
図５に示すように、係止部１７ａが固定部材取付孔１６ｂから突出した状態でその長手方向が水平となるように９０度回転されると、支持枠固定部材１７は固定位置にセットされる。固定位置への回動によって、係止部１７ａが固定部材取付孔１６ｂから挿脱不能となり、支持枠１６を係止する。これにより、支持枠１６が本体枠３に固定される。
【００１８】
図６に示すように、遊技盤ユニット６は、遊技盤４、支持体２０及び遊技領域規制枠２１から構成されており、遊技盤４を支持体２０と遊技領域規制枠２１とで挟持する構成となっている。遊技領域規制枠２１は、枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、第１内レール２７と外リール２６との間は、打ち出された遊技球を遊技領域４ａに向けて誘導するためのガイド部２５ａとなる。また、枠本体２５の中央には、遊技における遊技球の移動を規制（形成）するための開口２５ｂが形成され、その下方に入賞口に入賞しなかった遊技球を所定の受け部に導くためのアウト口３１の前面装飾３１ａが形成される。第１内レール２７及び第２内レール２８の側壁面２７ａ，２８ａは開口２５ｂに面しており、遊技領域４ａを規制するための壁面となる。なお、外レール２６、第１内レール２７及び第２内レール２８は、それぞれ図示しないビス等により枠本体２５に組み付け固定される。
【００１９】
図７に示すように、遊技盤４の略中央には開口４ｃが形成され、この開口４ｃにセンター役物３３が組み付けられる。なお、遊技盤ユニット６を支持枠１６に組み付けると、センター役物３３に形成された開口３３ａを介して、支持体２０に組み付けられた図柄可変表示装置７が視認できるようになっている。
【００２０】
図７に示すように、遊技盤４の後面には遊技を行う際に作動が行われる各種装置を制御するためのメインプログラムや図柄可変表示装置７の可変表示制御を行うための演出プログラムが記憶されたプログラムＲＯＭ（情報記憶媒体）３６及び、図柄可変表示装置７で表示する画像データ、音声データ、メインプログラム等に基づいて行われる処理状況に応じて各種装置を作動させるためのデータ等が記憶されているデータＲＯＭ（情報記憶媒体）３７、メモリコントローラが組み付けられた回路基板３８が設けられている。この回路基板３８にはコネクタ３９が設けられており、支持体２０に組み付けられた主制御回路装置（基板）４０に連接させるためのコネクタ４１が嵌め込まれる。これにより、主制御回路基板４０と回路基板３８とがケーブル４２、４３を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００２１】
図６及び図７に示すように、支持体２０には図柄可変表示装置７の他に、主制御回路装置４０や副制御回路装置４４が組み付けられる。この支持体２０の前面には複数のリブ２０ａが設けられ、これらリブ２０ａにより球通路２０ｂが形成される。遊技を行った際に各入賞口及びアウト口に入った遊技球は、リブ２０ａにより形成された球通路２０ｂを通過して所定の受け部に誘導される。この支持体２０の上下４箇所にはボス４５が形成されており、このボス４５には後述する遊技領域規制枠２１に設けられた係止つまみ４７を挿通させるための開口４６が形成されている。このボス４５を、遊技盤４に形成された位置決め開口４ｄに後面側から挿通させることで、遊技盤４と支持体２０との位置決めが行われる。図６に示すように、支持体２０の左側上部には、切欠き２０ｃが形成されており、後述するセキュリティーキー５０挿通時には、セキュリティーキー５０はこの切欠き２０ｃを通過する。なお、支持体２０に、切欠き２０ｃを形成する代わりに、セキュリティーキー５０を挿通可能にする挿通開口を形成してもよい。
【００２２】
枠本体２５の後面の上端部及び下端部のそれぞれ２箇所計４箇所にはボス（図示せず）が形成され、このボスにロック機構である回動自在な係止つまみ４７が取り付けられる。このボスを遊技盤４に形成された位置決め開口４ｄに挿通させることで、枠本体２５と遊技盤４との位置決めが行われる。また、係止つまみ４７は支持体２０に形成されたボス４５の開口４６に挿通された後に、開口４６に対して水平位置から垂直位置へと回動させることで、遊技盤４を挟持した状態で遊技領域規制枠２１と支持体２０との係合を行うことが可能となる。なお、ロック機構の構造及び個数は遊技盤ユニットの構成等を考慮して、適宜設定することが可能である。また、枠本体２５の右側の上下端部には固定部材取付孔２５ｃが形成されている。固定部材取付孔２５ｃは遊技盤ユニット固定部材１８の係止部１８ａを挿通させることのできる位置に設けられている。
【００２３】
図８及び図９に示すように、ガラス枠５の装飾部５ｂには透光窓５ｃが形成されており、この透光窓５ｃには、後述するＬＥＤ（発光装置）７６から発光され、セキュリティーキー（貫通部材）５０の操作つまみ部５５側から出射される光を導いて外部から視認可能にするための導光ユニット２２の導光ケース２４が挿入されている。導光ユニット２２は、入射された光（入射光）の光量に対して出射した光（出射光）の光量を比率で表す導光率（出射光量／入射光量）の高い透光性を有するシリコン製の導光チューブ（導光部材）２３と、透明樹脂製の略有蓋円筒状の導光ケース（保持部材）２４とから構成され、導光ケース２４は、ガラス枠５の装飾部５ｂに取り付けられている。透光窓５ｃは、その中心軸がＬＥＤ７６から発光された光の光軸に対して上下方向で異なる位置に設けられており、導光ケース２４は、その先端部を透光窓５ｃに挿入したときに、後端部の中心軸がＬＥＤ７６から発光された光の光軸と一致するように、中心軸の上下方向の位置が略中央部で変化した形状で形成されている。
【００２４】
導光ケース２４の先端部側の上部には上部開口２４ａが、後端部側の下部には下部開口２４ｂが形成されている。導光チューブ２３は、導光ケース２４に挿入した後に、後端部である入射部２３ａが導光ケース２４の後端部よりも突出するような形状（長さ）で形成されている。導光チューブ２３は、シリコン製のため、変形可能であり、導光チューブ２３の入射部２３ａを、上部開口２４ａから導光ケース２４の内部に挿入し、導光ケース２４の後端部側に押し込んでいく。導光ケース２４の内部の後端部まで入射部２３ａを充填していくには、上部開口２４ａから押し込んでいくだけでは難しく、そこで、下部開口２４ｂから棒状の治具等を挿入して、その治具により導光チューブ２３の入射部２３ａを導光ケース２４の内部の後端部まで押し込んでいく。そして、導光チューブ２３の先端部である出射部２３ｂを、導光ケース２４の内部の先端部に挿入する。これにより、導光チューブ２３が導光ケース２４の内部に充填されるとともに、導光チューブ２３の入射部２３ａが導光ケース２４の後端部よりも突出し、導光チューブ２３は、導光ケース２４によって、出射部２３ｂが透光窓５ｃの近傍に保持されるとともに入射部２３ａが導光ケース２４よりも突出してＬＥＤ（発光装置）７６に向けて保持された状態となる。なお、導光チューブ２３としては、シリコン製に限定されることなく、導光率の高い部材であれば、光ファイバなど適宜変更してもよい。また、導光チューブ２３を、折り曲げた形状で形成してもよく、この場合には、例えば、導光ケース２４を上ケースと下ケースとに分割して形成し、これら上ケースと下ケースとで、折り曲げた形状の導光チューブ２３を挟み込んで保持する。さらに、インサート成形などにより、導光チューブ２３と導光ケース２４とを一体的に成形してもよい。
【００２５】
図８及び図１０〜図１２に示すように、セキュリティーキー５０は、本体枠３と遊技盤ユニット６との封印処理を行うために設けられている。このセキュリティーキー５０は、円柱形状の軸５１に係合部５２、切断部５３、ストッパ部５４、操作つまみ部５５が設けられたものであり、透光性の樹脂で形成されている。係合部５２には、テーパ状の第１係止突起（第１係止部）５２ａと、第２係止突起（第２係止部）５２ｂと、回転防止突起（固定部）５２ｃとが設けられている。第１係止突起５２ａは、軸５１の操作つまみ部５５と反対側の端部に、第２係止突起５２ｂは、軸５１の略中央部に、それぞれ一対のテーパ状の突起となるように設けられており、回転防止突起５２ｃは、第１，第２係止突起５２ａ，５２ｂに対して９０°回転した位置に一対のテーパ状の突起となるように設けられている。切断部５３は、係合後のセキュリティーキー５０に外部から力が加えられたときに、切断される切断部であり、軸５１に比べて細径に形成されている。操作つまみ部５５は、後述するキーロックケース６１及びキーシリンダー６２に挿通させたり、上記したセキュリティーキー５０に外部から力を加えるときのつまみである。
【００２６】
操作つまみ部５５には、セキュリティー管理番号等の識別情報を記載したインサートプレート５６が埋設されている。なお、操作つまみ部５５には、インサートプレート５６を埋設する代わりに、同様のセキュリティー管理番号等の識別情報を記憶させたＩＣチップ等のデータ記憶媒体と該識別情報を読み取り装置を介して読み取り可能とするアンテナ等を埋設させてもよい。この場合、専用の読み取り装置で容易かつ短時間に、ＩＣチップに記憶された識別情報をアンテナを介して読み取ることができ、識別情報のチェックを行うことでセキュリティーキー５０の監視を読み取り装置を介して行うことができる。また、識別情報としては、パチンコ機２またはセキュリティーキー５０の識別等を特定できるとともに、容易に解読できないものであれば不正にセキュリティーキー５０に接触するのを防止するのに好適であり、セキュリティー管理番号を暗号化して用いるとよい。
【００２７】
枠本体２５のキー受け部２５ｄ（図６参照）には、セキュリティーキー５０を挿通するための開口２５ｅが形成されており、セキュリティーキー５０を開口２５ｅに挿通後、キー受け部２５ｄは、セキュリティーキー５０のストッパ部５４に接触して、セキュリティーキー５０の挿通方向のストッパとして機能する。
【００２８】
遊技盤４には、キーロックケース６１を取り付けるための取付孔４ｅ（図６参照）と、キーロックケース６１をビス締め固定するためのビス締め孔４ｆとが形成されている。ビス締め孔４ｆは、上下に２個形成されている。本体枠３の支持枠取付部３ａには、キーシリンダー６２を取り付けるための取付孔３ｂと、キーシリンダー６２をビス締め固定するためのビス締め孔３ｃとが形成されている。ビス締め孔３ｃは、上下に２個設けられている。
【００２９】
図１０及び図１１に示すように、キーロックケース６１は、略円筒状の本体部６５と、遊技盤４への取り付け用の取り付け鍔部６６とからなり、本体部６５にはセキュリティーキー５０挿通用の挿通開口６５ａが形成されている。挿通開口６５ａは、略十字形状で形成されており、略十字形状の上下はセキュリティーキー５０に設けられた係合部５２の第１，第２係止突起５２ａ，５２ｂ挿通用として、略十字形状の左右は回転防止突起５２ｃ挿通用としての開口である。本体部６５内部には、セキュリティーキー５０挿通時に、セキュリティーキー５０の第２係止突起５２ｂと係合する係止爪（第２係合部）６５ｂが上下に、回転防止突起５２ｃを挿通方向にガイドするとともにその回転を防止する回転防止凹部（固定部）６５ｃが左右にそれぞれ設けられている。図１３に示すように、セキュリティーキー５０の係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。
【００３０】
キーロックケース６１は、弾性変形可能な樹脂により成形されており、係止爪６５ｂは、図１１に示すように、セキュリティーキー５０挿通時に、第２係止突起５２ｂと当接することによって先端側の口径が拡大するように弾性変形する形状に形成されている。取り付け鍔部６６は、上下に２個設けられており、ビス締め用のビス締め孔６６ａがそれぞれ設けられている。キーロックケース６１の本体部６５を遊技盤４に形成された取付孔４ｅ（図６参照）に挿入し、ビス締め孔６６ａとビス締め孔４ｆとをビス６８によりビス締め固定することにより、キーロックケース６１が遊技盤４に固定される。
【００３１】
図１０及び図１１に示すように、キーシリンダー６２は、略円筒状の本体部７１と、本体枠３の支持枠取付部３ａへの取り付け用の取り付け鍔部７２とからなり、本体部７１にはセキュリティーキー５０挿通用の挿通開口７１ａが形成されている。挿通開口７１ａは、略十字形状で形成されており、略十字形状の上下はセキュリティーキー５０に設けられた係合部５２の第１係止突起５２ａの挿通用として、略十字形状の左右はセキュリティーキー５０を９０°回転させた状態（図１７参照）のときの第１係止突起５２ａの挿通用としての開口である。本体部７１内部には、セキュリティーキー５０挿通時に、第１係止突起５２ａと係合する係止爪（第１係合部）７１ｂが上下にそれぞれ設けられている。図１４に示すように、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。
【００３２】
キーシリンダー６２は、弾性変形可能な樹脂により成形されており、係止爪７１ｂは、図１１に示すように、セキュリティーキー５０挿通時に、第１係止突起５２ａと当接することによって先端側の口径が拡大するように弾性変形する形状に形成されている。取り付け鍔部７２は、上下に２個設けられており、ビス締め用のビス締め孔７２ａがそれぞれ設けられている。キーシリンダー６２を本体枠３の支持枠取付部３ａに形成された取付孔３ｂ（図３参照）に挿入し、ビス締め孔７２ａとビス締め孔３ｃとをビス６８によりビス締め固定することにより、キーシリンダー６２が本体枠３の支持枠取付部３ａに固定される。
【００３３】
図１２に示すように、キーシリンダー６２には、セキュリティー基板７５が図示しないビス等により取り付けられている。このセキュリティー基板７５には、ＬＥＤ（発光装置）７６が設けられており、ＬＥＤ７６は図示しないケーブル等により副制御回路装置４４に接続され、副制御回路装置４４により点灯制御される。セキュリティーキー５０挿入後、ＬＥＤ７６からの表示光は、透光性の樹脂で形成されたセキュリティーキー５０の内部を通過し、操作つまみ部５５側から出射され、ガラス枠５に設けられた導光ユニット２２の導光チューブ２３、導光ケース２４を介して（図１及び図８参照）視認可能となる。なお、遊技盤４を含む遊技盤ユニット６と本体枠３との着脱状態を検知するセンサ（図示せず）が設けられており、遊技盤４を含む遊技盤ユニット６を本体枠３から取り外すと、センサで取り外したことを検知し、副制御回路装置４４は、センサで検知したことに応じてＬＥＤ７６を点灯制御する。
【００３４】
上記のように構成されたパチンコ機の作用について説明する。パチンコ機２を組み立てるにあたって、遊技領域規制枠２１の枠本体２５のキー受け部２５ｄに形成された開口２５ｅにセキュリティーキー５０を挿入する。開口２５ｅに挿入されたセキュリティーキー５０は、遊技盤４に取り付けられたキーロックケース６１に挿入される。図１３に示すように、係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。そして、セキュリティーキー５０が挿入された遊技盤ユニット６を支持枠１６に組み付け、支持枠１６を本体枠３に組み付ける。
【００３５】
図１４に示すように、遊技盤ユニット６が組み付けられた支持枠１６が本体枠３に組み付けられ、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。これにより、セキュリティーキー５０は、故意に破壊（切断）しない限り脱不可状態となるため、遊技盤ユニット６と本体枠３との封印処理が行われた状態となる。導光チューブ２３は、導光率の高いシリコン製であり、折り曲げた場合にも、その折り曲げた形状に沿って光を導光することができるから、ＬＥＤ７６から発光され、セキュリティーキー５０を通過する光は、図１４中二点鎖線で示すように、導光チューブ２３の入射部２３ａから入射され、導光チューブ２３の形状に沿って導かれて出射部２３ｂから出射され、導光ケース２４からガラス枠５の外部に出射される。また、導光チューブ２３の入射部２３ａは、導光ケース２４の後端部よりも突出しているため、ガラス枠５の開閉により、入射部２３ａの位置がセキュリティーキー５０に対して上下方向または左右方向でずれて、セキュリティーキー５０を通過する光が入射部２３ａに入射されなくなった場合でも、導光ケース２４の後端部よりも突出した入射部２３ａの後端部を変形させ、その位置を微調整することにより、ＬＥＤ７６から発光され、セキュリティーキー５０を通過する光を入射部２３ａに入射させることができる。
【００３６】
なお、透光窓５ｃの中心軸が、ＬＥＤ７６から発光された光の光軸に対して左右方向で異なる位置に設けられている場合にも、導光ケース２４を、その先端部を透光窓５ｃに挿入したときに、後端部の中心軸がＬＥＤ７６から発光された光の光軸と一致するように、中心軸の左右方向の位置が略中央部で変化した形状で形成することにより、本発明を実施することができる。すなわち、透光窓５ｃの中心軸が、ＬＥＤ７６から発光された光の光軸に対して上下方向と左右方向とでそれぞれ異なる位置に設けられている場合にも、導光ケース２４を、その先端部を透光窓５ｃに挿入したときに、後端部の中心軸がＬＥＤ７６から発光された光の光軸と一致するように、中心軸の上下方向及び左右方向の位置が略中央部で変化した形状で形成することにより、本発明を実施することができる。
【００３７】
このように、ＬＥＤ７６から発光され、セキュリティーキー５０を通過する光は、折り曲げた形状に沿って光を導光することができる導光チューブ２３、導光ケース２４を介して出射されるから、透光窓５ｃの中心軸が、ＬＥＤ７６から発光された光の光軸に対して上下方向で異なる位置に設けられている場合にも、ＬＥＤ７６から発光された光を減光させることなくガラス枠５の外部に出射させることができる。また、ＬＥＤ７６から発光され、セキュリティーキー５０を通過する光は、導光率の高いシリコン製の導光チューブ２３を介してガラス枠５から出射されるから、樹脂製の部材等を介して出射されるときに比べて、光の視認性が良くなる。そのため、ＬＥＤ７６の輝度を低く抑えることができるから、安価なＬＥＤを使用することができ、コストの低減を図ることができる。
【００３８】
パチンコ機２の機種交換を行うにあたって、遊技盤４を含む遊技盤ユニット６を交換する場合には、遊技盤ユニット固定部材１８の係止部１８ａを固定位置から９０°回転させ、開放位置にするとともに、セキュリティーキー５０による遊技盤ユニット６と本体枠３との封印処理を解く必要がある。先ず、セキュリティーキー５０の操作つまみ部５５を掴んで回転させて切断部５５に負荷を与える。図１５に示すように、操作つまみ部５５を回転させて負荷を与え続けると切断部５３がねじれた後に切断され、セキュリティーキー５０は、係合部５２側の第１キー５０ａと、操作つまみ部５５側の第２キー５０ｂとに分離される。これにより、セキュリティーキー５０が脱離可能な状態となり、遊技盤ユニット６と本体枠３との封印処理が解かれた状態となり、遊技盤ユニット６を取り外すことができるようになる。
【００３９】
そして、図１６に示すように、セキュリティーキー５０を切断させた後に、遊技盤ユニット６を取り外す。このとき、切断されたセキュリティーキー５０の第１キー５０ａは、キーシリンダー６２の本体部７１内部に残されている。遊技盤ユニット６を取り外すと、遊技盤４に取り付けられたキーロックケース６１も一緒に取り外され、第１キー５０ａは、回転防止凹部６５ｃによる回転防止が解かれ、回転可能となる。そこで、図１７に示すように、第１キー５０ａを９０°回転させて、第１係止突起５２ａと係止爪７１ｂとの係合を解く。この状態のまま、図１８に示すように、第１キー５０ａをキーシリンダー６２から抜き取る。そして、新たな機種に対応した新たな遊技盤ユニット６を取り付けるとともに、新たなセキュリティーキー５０により、新たな遊技盤ユニット６と本体枠３との封印処理を行う。
【００４０】
このように、遊技盤ユニット６を正規に交換するためには、新たなセキュリティーキー５０が必要となる。したがって、遊技盤ユニット６を不正に取り替える等の不正行為（セキュリティーキー５０の切断）が行われた場合には、セキュリティーキー５０を新たなものに交換することができず、切断部５３で切断されたセキュリティーキー５０がキーシリンダー６２の本体部７１内部に残されたままの状態となる。セキュリティーキー５０は、透光性の樹脂で形成されており、切断された場合、その切断面は白化等により歪んで汚れたものとなる。このため、切断部５３の切断面で、ＬＥＤ７６から発光されセキュリティーキー５０を通過した光の拡散等が発生し、導光ユニット２２の導光チューブ２３、導光ケース２４を介して出射される光が、通常時（セキュリティーキー５０が切断されていない状態）とは異なったものとなる。この光の視認具合により、遊技盤ユニット６を不正に取り替える等の不正行為の有無を把握することができる。さらには、ＬＥＤ７６から発光され、セキュリティーキー５０を通過する光は、導光率の高いシリコン製の導光チューブ２３を介してガラス枠５から出射されるから、樹脂製の部材等を介して出射されるときに比べて、光の視認具合の変化の有無を判断し易くなる。
【００４１】
なお、上記実施形態では、遊技盤４にキーロックケース６１を、本体枠３の支持枠取付部３ａにキーシリンダー６２を取り付けたが、遊技盤４にキーロックケース６１の形状のものを、支持枠取付部３ａにキーシリンダー６２の形状のものをそれぞれ形成してもよい。
【００４２】
また、上記実施形態では、ＬＥＤ７６から発光され、セキュリティーキー５０を通過する光を、導光ユニット２２としての導光チューブ２３及び導光ケース２４を介してガラス枠５から出射させたが、これに限定されることなく、遊技を行う際の演出用のランプ等の発光装置とガラス枠５との間に、導光ユニット２２を設けてもよい。
【図面の簡単な説明】
【００４３】
【図１】本発明を実施したパチンコ機の外観斜視図である。
【図２】ガラス枠を開放した状態を示す斜視図である。
【図３】本体枠に遊技盤を取り付ける状態を示す斜視図である。
【図４】支持枠固定部材が取り付け位置にセットされた状態を示す正面図である。
【図５】支持枠固定部材が固定位置にセットされた状態を示す正面図である。
【図６】遊技盤ユニットの構成を分解して示す斜視図である。
【図７】遊技盤と支持体との構成を分解した状態の概略を示す断面図である。
【図８】ガラス枠と、導光ユニットと、セキュリティーキー及びこのセキュリティーキーが挿入されるキーロックケース、キーシリンダーとの位置関係を示す断面図である。
【図９】導光ユニットを示す斜視図である。
【図１０】セキュリティーキーと、キーロックケースと、キーシリンダーとを示す斜視図である。
【図１１】セキュリティーキー及びこのセキュリティーキーが挿入される遊技領域規制枠の枠本体、遊技盤及び本体枠の支持枠取付部を示す斜視図である。
【図１２】セキュリティーキーを遊技領域規制枠の枠本体からキーロックケースに挿入する場合の、セキュリティーキー及びその近傍の構成を示す断面図である。
【図１３】セキュリティーキーが挿入された遊技盤ユニットを本体枠に組み付ける場合の、セキュリティーキー及び本体枠の支持枠取付部の構成を示す断面図である。
【図１４】セキュリティーキーにより封印処理されたパチンコ機の、導光ユニット、セキュリティーキー及びその近傍を示す断面図である。
【図１５】セキュリティーキーによる封印処理を解いた場合の、セキュリティーキー及びその近傍を示す断面図である。
【図１６】遊技盤ユニットを本体枠から取り外した場合のセキュリティーキーの状態及びその近傍を示す断面図である。
【図１７】セキュリティーキーを９０°回転させ、抜き取ることができる状態にした場合のセキュリティーキー及びキーシリンダーを示す断面図である。
【図１８】キーシリンダーからセキュリティーキーを抜いた場合の状態を示す断面図である。
【符号の説明】
【００４４】
２  パチンコ機
３  本体枠
３ａ  支持枠枠取付部
４  遊技盤
５  ガラス枠
５ａ  開口
５ｂ  装飾部
５ｃ  透光窓
６  遊技盤ユニット
１６  支持枠
２２  導光ユニット
２３  導光チューブ（導光部材）
２４  導光ケース（保持部材）
２５  枠本体
５０  セキュリティーキー（貫通部材）
５２  係合部
５２ａ  第１係止突起（第１係止部）
５２ｂ  第２係止突起（第２係止部）
５２ｃ  回転防止突起（固定部）
５４  ストッパ部
６１  キーロックケース
６２  キーシリンダー
６５  本体部
６５ｂ  係止爪（第２係合部）
６５ｃ  回転防止凹部（固定部）
７１  本体部
７１ａ  挿入開口
７１ｂ  係止爪（第１係合部）
７５  セキュリティー基板
７６  ＬＥＤ（発光装置）
【図１】
2005130910.tif 000003
【図２】
2005130910.tif 000004
【図３】
2005130910.tif 000005
【図４】
2005130910.tif 000006
【図５】
2005130910.tif 000007
【図６】
2005130910.tif 000008
【図７】
2005130910.tif 000009
【図８】
2005130910.tif 000010
【図９】
2005130910.tif 000011
【図１０】
2005130910.tif 000012
【図１１】
2005130910.tif 000013
【図１２】
2005130910.tif 000014
【図１３】
2005130910.tif 000015
【図１４】
2005130910.tif 000016
【図１５】
2005130910.tif 000017
【図１６】
2005130910.tif 000018
【図１７】
2005130910.tif 000019
【図１８】
2005130910.tif 000020